(57)【要約】【課題】各部材を繰り出した状態において、衝撃力が加わっても、環状の部材、特に直進キーと回転部材相互の嵌り合いが外れることを防止するレンズ鏡胴、これを用いたカメラ、携帯型情報端末装置および撮像装置を得る。【解決手段】固定筒１と、固定筒１に対し回転可能に配置されている第１回転筒２と、第１回転筒２の内周側に配置され光軸方向には第１回転筒２と一体的に移動する直進キー３と、直進キー３の内周側に配置されている第２回転筒４と、を備えている。直進キー３の被写体側先端部の内周側にリング６が嵌められ、リング６の内周面は、第２回転筒４の外周面に近接している。【選択図】図１
2009069290.tif 000002
【特許請求の範囲】
【請求項１】
固定筒と、
固定筒に対し回転可能に配置されている第１回転筒と、
第１回転筒の内周側に配置され光軸方向には第１回転筒と一体的に移動する円筒形状の直進キーと、
直進キーの内周側に配置されている第２回転筒と、
第１回転筒の回転駆動により、前記第１回転筒と前記第２回転筒が光軸方向に進退するレンズ鏡胴と、
前記レンズ鏡筒内に備えられている撮像光学系により被写体像が結像され、光電変換によって被写体像を画像データに変換する撮像素子と、を備える撮像装置であって、
上記直進キーの被写体側先端部の内周側にリング状部材が形成され、
上記リング状部材の内周面は、前記第２回転筒の外周面に近接していることを特徴とする撮像装置。
【請求項２】
リング状部材は、直進キーの被写体側先端部の内周側に形成されている段部に嵌められているリングである請求項１に記載の撮像装置。
【請求項３】
直進キーは合成樹脂からなり、リングは金属からなっていて直進キーとともにインサート成形されている請求項１または２記載の撮像装置。
【請求項４】
リングは、直進キーに接着されている請求項１または２記載の撮像装置。
【請求項５】
直進キーと第２回転リングは、雌雄のヘリコイドで嵌り合っている請求項１記載の撮像装置。
【請求項６】
固定筒と、
固定筒に対し回転可能に配置されている第１回転筒と、
第１回転筒の内周側に配置され光軸方向には第１回転筒と一体的に移動する円筒形状の直進キーと、
直進キーの内周側に配置されている第２回転筒と、を備えているレンズ鏡胴であって、
上記直進キーの被写体側先端部の内周側にリングが嵌められ、
上記リングの内周面は、第２回転筒の外周面に近接していることを特徴とするレンズ鏡胴。
【請求項７】
リングは、直進キーの被写体側先端部の内周側に形成されている段部に嵌められている請求項６記載のレンズ鏡胴。
【請求項８】
直進キーは合成樹脂からなり、リングは金属からなっていて直進キーとともにインサート成形されている請求項６または７記載のレンズ鏡胴。
【請求項９】
リングは、直進キーに接着されている請求項６または７記載のレンズ鏡胴。
【請求項１０】
直進キーと第２回転リングは、雌雄のヘリコイドで嵌り合っている請求項６記載のレンズ鏡胴。
【請求項１１】
第１回転筒の回転駆動により、この第１回転筒と第２回転筒が光軸方向に進退する沈胴式のレンズ鏡胴である請求項６記載のレンズ鏡胴。
【請求項１２】
撮影レンズ鏡胴を備え、撮影レンズ鏡胴内に備えられている撮影レンズ系で結ばれる被写体像を記録するカメラであって、上記撮影レンズ鏡胴は、請求項６ないし１１のいずれかに記載のレンズ鏡胴であることを特徴とするカメラ。
【請求項１３】
撮影レンズ鏡胴を備え、撮影レンズ鏡胴内に備えられている撮影レンズ系で結ばれる被写体像を記録することができ、情報処理ユニットを備えている携帯型情報端末装置であって、上記撮影レンズ鏡胴は、請求項６ないし１１のいずれかに記載のレンズ鏡胴であることを特徴とする携帯型情報端末装置。
【発明の詳細な説明】
【技術分野】
【０００１】
本発明は、不使用時にコンパクトに収納することができる沈胴式の撮像装置、レンズ鏡胴、このレンズ鏡胴を用いたカメラおよび携帯型情報端末装置に関するものである。
【背景技術】
【０００２】
レンズ鏡胴は、カメラに装着されている状態においても、あるいは、一眼レフカメラのようにカメラ本体からレンズ鏡胴が分離されている状態においても、ユーザーが誤ってカメラあるいはレンズ鏡胴単体を取り落とし、あるいは、何かに衝突させるなど、常に衝撃を受ける可能性があることを想定しておく必要がある。特に、不使用時にカメラ本体に収納し、使用時にカメラ本体から繰り出す沈胴式の鏡胴であって、レンズの移動をカム溝とカムフォロワ、あるいは雄と雌のヘリコイドの嵌り合いによって行うものにおいては、衝撃力が加わることによってこれらの嵌り合いが外れることがある。これらの嵌り合いが外れると、それ以後の円滑な動作は不可能となる。
【０００３】
このような問題点を解消するために、従来は、カム溝とカムフォロワ、あるいは雄と雌のヘリコイドの嵌り合いをより深くし、あるいは、衝撃力を受けても筒状の部材が変形しないように、筒状の部材をアルミニウム合金の棒材から切削加工することによって製作して機械的な強度を高めることが行われている。こうすることによって、部材が変形しても嵌り合いが外れることをなくすことができ、あるいは、変形そのものを少なくすることができるからである。
【０００４】
しかし、カム溝とカムフォロワ、あるいは雄と雌のヘリコイドの嵌り合いをより深くするためには、カム溝とカムフォロワ、あるいはヘリコイドを備えた部材の厚さを厚くする必要があり、レンズ鏡胴が大型化する難点がある。また、筒状の部材をアルミニウム合金の棒材から切削加工することによって製作すると、製作に長時間を要し、生産性が悪いこと、そして、合成樹脂製の部材と比較すると、重量が重く、鏡胴が繰り出した状態で先端部が下方に傾く難点がある。
【０００５】
以下、従来のレンズ鏡胴の例について図３ないし図１１を参照しながら説明し、そのあとで上に述べた問題点を具体的に説明する。図３ないし図１１において、符号１は固定筒を示している。固定筒１はその基端面がベース板５に固定されている。固定筒１の内周側には第１回転筒２が嵌められ、第１回転筒２の内周側にはその後端側から円筒形状の直進キー３が嵌められている。固定筒１の内周面にはピッチの大きな螺旋状のカム溝１ａが形成されるとともに、中心軸線と平行に直進溝１ｃが形成されている。上記カム溝１ａには第１回転筒２の後端部外周に突出して形成されたカムフォロワ２ｃが嵌っている。第１回転筒２の後端部外周には、カムフォロワ２ｃに隣接してラック２ｄが形成されている。このラック２ｄには、モータによって回転駆動される図示されないピニオンが噛み合っている。したがって、上記ピニオンがモータによって回転駆動されると、カムフォロワ２ｃがカム溝１ａに案内されることにより第１回転筒２が固定筒１内において中心軸線方向（以下「光軸方向」という）前後に移動するようになっている。
【０００６】
第１回転筒２の内周面には、第１のキー溝２ｂが２本、第２のキー溝２ｅが３本、それぞれ第１回転筒２の中心軸線と平行に形成されている。第１回転筒２の前端部内周面にはまた、周溝２ａ（図６参照）が形成されている。上記直進キー３の前端部外周面には３個の突起３ａが形成されている。直進キー３を第１回転筒２の内周側に嵌め合わせるに当たり、上記各突起３ａを第１回転筒２の上記第２のキー溝２ｅにガイドさせ、突起３ａが上記周溝２ａに至ったところで直進キー３を相対回転させ、突起３ａを周溝２ａに嵌める。これによって、直進キー３と第１回転筒２は常時光軸方向に関しては一体的に移動するようになっている。
【０００７】
直進キー３の後端部には半径方向外側に向かう突堤３ｄが形成され、突堤３ｄは第１回転筒２の後端面に当接している。直進キー３の後端部にはまた、突堤３ｄに半径方向に重なって突起３ｆが複数個所に形成され、これらの突起３ｆは、固定筒１の内周面に形成されている前記直進溝１ｃに嵌っている。したがって、第１回転筒２が、その回転によって前述のように光軸方向に移動すると、直進キー３は第１回転筒２とともに光軸方向に移動するが、突起３ｆが直進溝１ｃに嵌ることによって回転が止められる。換言すれば、第１回転筒２は固定筒１に対して光軸の周りに回転可能であるとともに光軸方向にも移動可能であるのに対し、直進キー３は光軸方向への直進のみが可能となっている。
【０００８】
直進キー３の内周面には、複数条の雌型ヘリコイド３ｃが形成されるとともに、ヘリコイド３ｃの一部を切削して光軸と平行に直進溝３ｅが形成されている。また、直進キー３の周壁を貫いて２本の逃げ溝３ｂが形成されている。これらの逃げ溝３ｂは、ヘリコイド３ｃと同じ螺旋状に形成されている。直進キー３の内周側には第２回転筒４が嵌められている。第２回転筒４の後端部外周には雄型ヘリコイド４ｃが形成されている。雄型ヘリコイド４ｃと上記雌型ヘリコイド３ｃは同じピッチになっていて、互いに嵌り合っている。第２回転筒４の後端部外周にはまた２本のピン４ｂが１８０度間隔で立てられている。これらのピン４ｂは直進キー３の逃げ溝３ｂを貫き、ピン４ｂの先端部は第１回転筒２の第１のキー溝２ｂに嵌っている。したがって、第１回転筒２が光軸の周りに回転すると、上記ピン４ｂが第１のキー溝２ｂに押されて第２回転筒４が光軸の周りに回転する。第２回転筒４が回転するのに対して直進キー３は回転することができないため、雄型ヘリコイド４ｃに雌型ヘリコイド３ｃがガイドされて、第２回転筒４は光軸方向に移動する。このように、第２回転筒４は光軸の周りに回転しながら光軸方向に移動するようになっている。
【０００９】
第２回転筒４の内周側にはさらに図示されない直進円筒が嵌められ、この直進円筒にはレンズ保持枠が嵌められてレンズ鏡胴が構成されるが、図３ないし図１１にはこれらの構成は記載されていない。
【００１０】
次に、上記従来例の動作を説明する。図３、図８はレンズ鏡胴がカメラ本体内に収納された沈胴状態を示している。この沈胴状態からカメラを使用可能な状態にすべく図示されないモータを起動し、第１回転筒２を光軸周りに所定の向きに回転駆動する。第１回転筒２は、その回転により、カムフォロワ２ｃが固定筒１のカム溝１ａに導かれて光軸方向前方に向かって移動する。また、第１回転筒２の回転により、その第１のキー溝２ｂに嵌っている第２回転筒４のピン４ｂをキー溝２ｂの側壁が光軸周りに押して第２回転筒４を光軸周りに回転させる。この第２回転筒４の回転に対して、直進キー３は、その突起３ｆが固定筒１の直進溝１ｃに嵌ることにより回転することができず、光軸方向に直進するのみである。
【００１１】
直進キー３が直進するのに対し、第２回転筒４が上記のように光軸周りに回転することにより、直進キー３の雌ヘリコイド３ｃに、第２回転筒４の雄ヘリコイド４ｃが案内されて、第２回転筒４は光軸方向前方に向かって移動する。図４、図９は、このようにして、第１回転筒２、直進キー３、第２回転筒４が撮影可能な最小繰り出し位置、例えば広角端まで繰り出された様子を示している。図７、図１０は、上記各部材が繰り出し可能な最大限の位置、例えば望遠端まで繰り出された状態を示している。上記広角端から望遠端までの移動は、第１回転筒２の回転駆動により沈胴位置から広角端まで移動させた後、第１回転筒２をさらに回転駆動することによって行うことができる。広角端から望遠端までは、被写体に焦点を合わせたまま各レンズ群が移動し、焦点距離が連続的に変化する。
【００１２】
以上説明した従来のレンズ鏡胴の例において、図７、図１０に示すように、各部材が最大繰り出し位置まで繰り出している状態で衝撃力が加わったとしても、以下に説明するように、各部材相互の係合関係は外れにくい。この状態では、第２回転筒４と直進キー３双方のヘリコイド係合部が被写体側にあって第２回転筒４が振れやすいこと、そして、直進キー３の逃げ孔３ｂによって第２回転筒４のピン４ｂを規制することができないことなど、直進キー３と第２回転筒４との係合が外れる要因が存在する。しかし、仮に直進キー３が合成樹脂で製作されていて、強度が金属製よりも低いとしても、第１回転筒２の前記周溝２ａと直進キー３の突起３ａとが係合している位置の内周側に第２回転筒４と直進キー３双方のヘリコイド係合部があるため、直進キー３と第２回転筒４との係合は外れにくい。
【００１３】
これに対して、図９に示すように、各部材が撮影可能な最小繰り出し位置まで繰り出している状態で衝撃力が加わると、以下に説明するように、各部材相互の係合関係が外れやすい。この状態では、第２回転筒４と直進キー３双方のヘリコイド係合部が被写体側にあって第２回転筒４が振れやすいこと、直進キー３の逃げ孔３ｂによって第２回転筒４のピン４ｂを規制することができないこと、これに加えて、第１回転筒２の前記周溝２ａと直進キー３の突起３ａとが係合している位置の内周側に空間があることなど、直進キー３と第２回転筒４との係合が外れる要因が存在する。特に、第１回転筒２の前記周溝２ａと直進キー３の突起３ａとが係合している位置の内周側に空間があることにより、衝撃力が加わったとき、直線キー３の被写体側先端部が半径方向内側に向かって変形しやすく、直進キー３と第２回転筒４との係合が外れることがある。直進キー３が合成樹脂製の場合は特にこのような問題を起こしやすい。
【００１４】
本発明は、上に述べたような問題点を解消しようとするものであるが、かかる問題解決に関連のある従来技術として、特許文献１記載の発明がある。これは、固定筒、カム筒、直進筒、フォーカス環などを有するレンズ鏡筒において、カム筒あるいはフォーカス環が合成樹脂で製作されているとしても、カム筒の被写体側にその変形を抑える第１の補強リングを圧入等の手法で結合し、フォーカス環にその変形を抑える第２の補強リングを結合してなるものである。
【００１５】
また、合成樹脂製の環状部材と、外周側の環状部材の内周側に嵌合されて外周側の環状部材に径方向に加えられる圧力に抗しその変形を防ぐに足る径方向の厚さを有する金属製の補強部材と、を有するレンズ鏡胴が提案されている（特許文献２参照）。この着想は特許文献１と共通している。
【００１６】
【特許文献１】特開２００３−３２２７８６号公報
【特許文献２】特開昭６２−１０４０５号公報
【発明の開示】
【発明が解決しようとする課題】
【００１７】
特許文献１および特許文献２に記載されている発明は、いずれも、合成樹脂などで製作されている環状部材の強度を高めるために、補強部材を環状部材と一体に結合してなるものである。したがって、各部材を撮影可能な位置まで繰り出した状態において、衝撃力が加わったときに、環状部材相互の嵌り合いが外れることを防止することはできない。
【００１８】
本発明は、このような従来技術の問題点に鑑みてなされたものであって、各部材を撮影可能な位置まで繰り出した状態において、衝撃力が加わっても、環状の部材相互の嵌り合い、特に直進キーと回転部材相互の嵌り合いが外れることを防止することができる撮像装置、レンズ鏡胴、カメラおよび携帯型情報端末装置を提供することを目的とする。
【課題を解決するための手段】
【００１９】
本発明は、固定筒と、固定筒に対し回転可能に配置されている第１回転筒と、第１回転筒の内周側に配置され光軸方向には第１回転筒と一体的に移動する直進キーと、直進キーの内周側に配置されている第２回転筒と、を備えているレンズ鏡胴であって、上記直進キーの被写体側先端部の内周側にリングが嵌められ、上記リングの内周面は、第２回転筒の外周面に近接していることを最も主要な特徴とする。
【発明の効果】
【００２０】
直進キーの被写体側先端部内周側と第２回転筒の外周面との間にリングが介在し、リングの内周面が第２回転筒の外周面に近接しているため、第１回転筒と第２回転筒が撮影可能な位置に繰り出されている状態でレンズ鏡胴に衝撃力が加わっても、直進キーと第２回転筒が半径方向に相対移動しようとすると、この相対移動は、リングの内周面が第２回転筒の外周面に当たることによって制限される。これにより、直進キーと第２回転筒の係合が外れることを防止することができる。
【発明を実施するための最良の形態】
【００２１】
以下、本発明にかかる撮像装置、レンズ鏡胴、カメラおよび携帯型情報端末装置の実施例について図面を参照しながら説明する。なお、図１、図２に本発明の実施例を示しているが、大半の構成は図３ないし図１１に示す従来例の構成と同じであるため、必要に応じて図３ないし図１１も参照しながら説明する。
【００２２】
図１、図２において、符号１は固定筒を示している。固定筒１はその基端面がベース板５に固定されている。固定筒１の内周側には第１回転筒２が嵌められ、第１回転筒２の内周側にはその後端側から円筒形状の直進キー３が嵌められている。固定筒１の内周面にはピッチの大きな螺旋状のカム溝１ａが形成されるとともに、中心軸線と平行に直進溝１ｃが形成されている。上記カム溝１ａには第１回転筒２の後端部外周に突出して形成されたカムフォロワ２ｃが嵌っている。第１回転筒２の後端部外周には、カムフォロワ２ｃに隣接してラック２ｄが形成されている。このラック２ｄには、モータによって回転駆動される図示されないピニオンが噛み合っている。したがって、上記ピニオンがモータによって回転駆動されると、カムフォロワ２ｃがカム溝１ａに案内されることにより第１回転筒２が固定筒１内において中心軸線方向（以下「光軸方向」という）前後に移動するようになっている。上記ピニオンは、第１回転筒２が前後に移動してもラック２ｄとの噛み合いが外れないように軸方向の寸法が長くなっている。
【００２３】
第１回転筒２の内周面には、第１のキー溝２ｂが２本、第２のキー溝２ｅが３本、それぞれ第１回転筒２の中心軸線と平行に形成されている。第１回転筒２の前端部内周面にはまた、周溝２ａ（図６参照）が形成されている。上記直進キー３の前端部外周面には３個の突起３ａが形成されている。第２のキー溝２ｅと突起３ａは、周方向の角度配分が互いに等しくなっている。直進キー３を第１回転筒２の内周側に嵌め合わせるに当たり、上記各突起３ａを第１回転筒２の上記第２のキー溝２ｅにガイドさせ、突起３ａが上記周溝２ａに至ったところで直進キー３を相対回転させ、突起３ａを周溝２ａに嵌める。これによって、直進キー３と第１回転筒２は常時光軸方向に関しては一体的に移動するようになっている。
【００２４】
直進キー３の後端部には半径方向外側に向かう突堤３ｄが形成され、突堤３ｄは第１回転筒２の後端面に当接している。直進キー３の後端部にはまた、突堤３ｄに半径方向に重なって突起３ｆが複数個所に形成され、これらの突起３ｆは、固定筒１の内周面に形成されている前記直進溝１ｃに嵌っている。したがって、第１回転筒２が、その回転によって前述のように光軸方向に移動すると、直進キー３は第１回転筒２とともに光軸方向に移動するが、突起３ｆが直進溝１ｃに嵌ることによって回転が止められる。換言すれば、第１回転筒２は固定筒１に対して光軸の周りに回転可能であるとともに光軸方向にも移動可能であるのに対し、直進キー３は光軸方向への直進のみが可能となっている。
【００２５】
直進キー３の内周面には、複数条の雌型ヘリコイド３ｃが形成されるとともに、ヘリコイド３ｃの一部を切削して光軸と平行に直進溝３ｅが形成されている。また、直進キー３の周壁を貫いて２本の逃げ溝３ｂが形成されている。これらの逃げ溝３ｂは、ヘリコイド３ｃと同じ螺旋状に形成されている。直進キー３の内周側には第２回転筒４が嵌められている。第２回転筒４の後端部外周には雄型ヘリコイド４ｃが形成されている。雄型ヘリコイド４ｃと上記雌型ヘリコイド３ｃは同じピッチになっていて、互いに嵌り合っている。第２回転筒４の後端部外周にはまた２本のピン４ｂが１８０度間隔で立てられている。これらのピン４ｂは直進キー３の逃げ溝３ｂを貫き、ピン４ｂの先端部は第１回転筒２の第１のキー溝２ｂに嵌っている。したがって、第１回転筒２が光軸の周りに回転すると、上記ピン４ｂが第１のキー溝２ｂに押されて第２回転筒４が光軸の周りに回転する。第２回転筒４が回転するのに対して直進キー３は回転することができないため、雄型ヘリコイド４ｃに雌型ヘリコイド３ｃがガイドされて、第２回転筒４は光軸方向に移動する。直進キー３の逃げ溝３ｂは、上記ピン４ｂの動きの障害にならないように形成されたもので、逃げ溝３ｂの壁面とピン４ｂとの間には僅かな隙間が生じるように相互の寸法が設定されている。上記のように、第２回転筒４は光軸の周りに回転しながら光軸方向に移動するようになっている。
【００２６】
第２回転筒４の内周面には、３条のカム溝４ｄが１２０度間隔で形成され、第２回転筒４の後端部内周側には周溝４ｅが形成されている。第２回転筒４の内周側にはレンズ保持筒７が嵌められ、このレンズ保持筒７の内周側には直進円筒８が嵌められている。すなわち、半径方向において、第２回転筒４と直進円筒８の間にレンズ保持筒７が挟み込まれた態様で配置されている。レンズ保持筒７の前半部分は直進円筒８の前端より前方に突出していて、この突出した部分の内周側にレンズ群が保持されるように構成されている。
【００２７】
直進円筒８の後端からは鍵状の突起８ｅが一体成形により半径方向外側に向かって形成されていて、突起８ｅは第２回転筒４の後端面に摺接するとともに、突起８ｅの先端部は直進キー３の直進溝３ｅに嵌っている。直進円筒８の後端付近にはまたガイド突起８ｆが一体成形により半径方向外側に向かって形成されていて、ガイド突起８ｆは第２回転筒４の周溝４ｅに嵌っている。前述のように、第２回転筒４は光軸の周りに回転しながら光軸方向に移動することができる。これに対して直進円筒８は、ガイド突起８ｆと第２回転筒４の周溝４ｅとの嵌り合いによって第２回転筒４とともに光軸方向に移動するが、突起８ｅの先端部が上記直進溝３ｅに嵌っているため回転することができず、直進溝３ｅに沿って光軸方向に直進する。
【００２８】
直進円筒８の外周には、レンズ保持筒７の光軸方向への移動をガイドする直進溝８ｇが適宜数形成されていて、これらの直進溝８ｇにはレンズ保持筒７の内周面に形成されたガイド凸部が嵌ることにより、レンズ保持筒７は直進円筒８に対し光軸方向に相対移動可能であるとともに、直進円筒８に対する光軸周りの回転は規制されている。レンズ保持筒７の後端部外周面にはカムフォロワ７ｄが３箇所に突設されていて、各カムフォロワ７ｄは第２回転筒４の３条のカム溝４ｄにそれぞれ嵌っている。したがって、第２回転筒４が回転すると、カムフォロワ７ｄがカム溝４ｄにガイドされ、カム溝４ｄの形に倣ってレンズ保持筒７が光軸方向に直線的に移動するようになっている。
【００２９】
次に、本発明の最も特徴的な構成部分について説明する。図１、図２において、直進キー３の被写体側先端部の内周側にリング６が嵌められている。リング６の内周面は、第２回転筒４の外周面に近接し、リング６の内周面と回転筒４の外周面との間に、僅かな間隙が生じている。直進キー３は合成樹脂の一体成形品で構成することができる。これに対しリング６は高い強度を持たせることができる金属からなるものとする。直進キー３の被写体側先端部の内周側には段部が形成され、この段部にリング６が嵌められている。
【００３０】
直進キー３へのリング６の結合手段は任意のものを選択して差し支えない。直進キー３を合成樹脂による一体成形で製作するのであれば、直進キー３とともに金属製のリング６をインサート成形によって製作するとよい。あるいは、リング６を直進キー３に接着してもよい。
【００３１】
以上のように構成された実施例の動作を説明する。前述のとおり、図３、図８に示している沈胴状態からカメラを使用可能な状態にすべく図示されないモータを起動し、第１回転筒２を光軸周りに所定の向きに回転駆動する。第１回転筒２は、その回転により、カムフォロワ２ｃが固定筒１のカム溝１ａに導かれて光軸方向前方に向かって移動する。また、第１回転筒２の回転により、その第１のキー溝２ｂに嵌っている第２回転筒４のピン４ｂをキー溝２ｂの側壁が光軸周りに押して第２回転筒４を光軸周りに回転させる。この第２回転筒４の回転に対して、直進キー３は、その突起３ｆが固定筒１の直進溝１ｃに嵌ることにより回転することができず、光軸方向に直進するのみである。
【００３２】
直進キー３が直進するのに対し、第２回転筒４が上記のように光軸周りに回転することにより、直進キー３の雌ヘリコイド３ｃに、第２回転筒４の雄ヘリコイド４ｃが案内されて、第２回転筒４は光軸方向前方に向かって移動する。図２、図４、図９は、このようにして、第１回転筒２、直進キー３、第２回転筒４が撮影可能な最小繰り出し位置、例えば広角端まで繰り出された様子を示している。図７、図１０は、上記各部材が繰り出し可能な最大限の位置、例えば望遠端まで繰り出された状態を示している。上記広角端から望遠端までの移動は、第１回転筒２の回転駆動により沈胴位置から広角端まで移動させた後、例えばズームボタンを操作することにより第１回転筒２をさらに回転駆動することによって行うことができる。広角端から望遠端までは、被写体に焦点を合わせたまま各レンズ群が移動し、焦点距離が連続的に変化する。図１、図２に示すレンズ保持筒７、直進円筒８で構成される部分は一つのレンズ群の移動機構を示している。
【００３３】
従来のレンズ鏡胴では、外部から衝撃力を受けると、環状部材相互、特に直進キー３と第２回転筒４のヘリコイドによる係合が外れやすく、特に、これらの部材が合成樹脂製で、撮影可能な最小繰り出し位置において上記係合が外れやすい旨説明した。
その点、図１、図２に示す本発明の実施例によれば、直進キー３の被写体側先端部内周側と第２回転筒４の外周面との間にリング６が介在し、リング６の内周面が第２回転筒４の外周面に近接しているため、第１回転筒２と第２回転筒４が撮影可能な位置に繰り出されている状態でレンズ鏡胴に衝撃力が加わっても、直進キー３と第２回転筒４が半径方向に相対移動しようとすると、この相対移動はリング６の内周面が第２回転筒４の外周面に当たることによって制限され、直進キー３と第２回転筒４のヘリコイドによる係合が外れることを防止することができる。
【００３４】
以上説明したレンズ鏡胴は、これをカメラ、携帯型情報端末装置および撮像装置に適用することができる。すなわち、撮影レンズ鏡胴を備え、撮影レンズ鏡胴内に備えられている撮影レンズ系で結ばれる被写体像を記録するカメラであれば、上記撮影レンズ鏡胴として、上記実施例にかかるレンズ鏡胴を用いればよい。
撮影レンズ鏡胴を備え、撮影レンズ鏡胴内に備えられている撮影レンズ系で結ばれる被写体像を記録することができ、情報処理ユニットを備えている携帯型情報端末装置であれば、上記撮影レンズ鏡胴として、上記実施例にかかるレンズ鏡胴を用いればよい。
撮影レンズ鏡胴を備え、撮影レンズ鏡胴内に備えられている撮影レンズ系で結ばれる被写体像のデータを記録し出力することができる撮像装置であれば、上記撮影レンズ鏡胴として、上記実施例にかかるレンズ鏡胴を用いればよい。
かかる構成のカメラ、携帯型情報端末装置および撮像装置によれば、前述の本発明にかかるレンズ鏡胴によって得られる効果と同様の効果を得ることができる。
【図面の簡単な説明】
【００３５】
【図１】本発明にかかるレンズ鏡胴の実施例を示す分解斜視図である。
【図２】上記実施例の縦断面図である。
【図３】従来のレンズ鏡胴の例を沈胴している状態で示す斜視図である。
【図４】上記従来のレンズ鏡胴が途中まで繰り出した状態を示す斜視図である。
【図５】図４に示す動作態様において第１回転筒を除去した状態の斜視図である。
【図６】上記従来のレンズ鏡胴において直進キーと第２回転筒を除去した状態の斜視図である。
【図７】上記従来のレンズ鏡胴が最大繰り出し位置に至った状態を示す斜視図である。
【図８】上記従来のレンズ鏡胴が沈胴している状態を示す縦断面図である。
【図９】上記従来のレンズ鏡胴が途中まで繰り出した状態を示す縦断面図である。
【図１０】上記従来のレンズ鏡胴が最大繰り出し位置に至った状態を示す縦断面図である。
【図１１】上記従来のレンズ鏡胴の分解斜視図である。
【符号の説明】
【００３６】
１    固定筒
１ａ    カム溝
１ｃ    直進溝
２    第１回転筒
２ｃ    カムフォロワ
３    直進キー
３ｃ    雌型ヘリコイド
３ａ    突起
３ｅ    直進溝
４    第２回転筒
４ｂ    ピン
４ｃ    雄型ヘリコイド
７    レンズ保持筒
８    直進円筒
【図１】
2009069290.tif 000003
【図２】
2009069290.tif 000004
【図３】
2009069290.tif 000005
【図４】
2009069290.tif 000006
【図５】
2009069290.tif 000007
【図６】
2009069290.tif 000008
【図７】
2009069290.tif 000009
【図８】
2009069290.tif 000010
【図９】
2009069290.tif 000011
【図１０】
2009069290.tif 000012
【図１１】
2009069290.tif 000013